(57)【要約】      （修正有）【課題】注出口の口径が狭い場合は、プルトップを備えても該プルトップが指に掛からない為使用できず、別途、流量調整出来る注出口を設けた中栓を容器に装着するので、部品数も増えコストも上がってしまう。コストを上げずに流量調整の出来るキャップを提供する。【解決手段】つまみ４３と隣接のヒンジ部４６となる一部を残して２本の横薄肉スリット４１，４２が刻設され、該横薄肉スリット４１，４２の刻設の下方部には、容器の注出筒２に形成された突起部と係合するアンダーカットを内周面に形成すると共に、キャップ頂部３の裏面には、インナーリング３０が形成され、該インナーリング３０の形状が、インナーリング３０のヒンジ部４６のある位置を短くし、インナーリング３０のヒンジ部４６のある反対側位置を長くし、該長くした部分には、切込み３３を設けて注出口１２が形成され、該切込み幅と容器の注出筒頭部との間で流量調整ができる。【選択図】図１
2013212876.tif 000002
【特許請求の範囲】
【請求項１】
キャップ胴部に切り起すつまみが立設され、該つまみと隣接のヒンジ部となる一部を残して２本の横薄肉スリットが刻設され、該横薄肉スリットの刻設の下方部には、容器の注出筒に形成された突起部と係合するアンダーカットを内周面に形成すると共に、キャップ頂部の裏面には、インナーリングが形成され、該インナーリングの形状がインナーリングのヒンジ部のある位置を短くし、インナーリングのヒンジ部のある反対側位置を長くし、該長くした部分には、切込みを設けて注出口が形成され、、該切込み幅と容器注出筒頭部との間で流量調整がされることを特徴とする流量調整ができるいたずら防止付きヒンジキャップ。
【請求項２】
キャップ頂部の裏面には、インナーリングが形成され、該インナーリングの形状が、インナーリングのヒンジ部のある位置を短くし、インナーリングのヒンジ部の反対側位置を長くし、該長くした部分が容器の注出筒内壁と接合摺動され、この接合摺動の摩擦でキャップ開閉が制御され流量調整がされることを特徴とする請求項１記載の流量調整ができるいたずら防止付きヒンジキャップ。
【請求項３】
キャップ胴部に切り起すつまみ立設され、該つまみ部と隣接のヒンジ部となる一部を残して２本の横薄肉スリットが刻設され、該横薄肉スリットの刻設の下方部には、容器の注出筒に形成された突起部と係合するアンダーカットを内周面に形成され、下方部のヒンジ部位置には、縦薄肉スリットを刻設し、該縦薄肉スリットによりアンダーカットを破断することによって容器の注出筒との係合が外されて容器と分別できることを特徴とする請求項１乃至２のいずれか１項に記載の流量調整ができるいたずら防止付、ヒンジキャップ。
【発明の詳細な説明】
【技術分野】
【０００１】  本発明は、酢、醤油等液体調味料の注出の流量を調整することのできるいたずら防止付きヒンジキャップに関するものである。
【背景技術】
【０００２】  従来の流量調整ができる容器と分別可能なヒンジキャップは、容器首部に装着される中栓が上部分に注出筒を設け、該注出筒内下部にはプルトップが備えられ、注出口を切り起し開けられ、その開けられた注出口で流量が制限できる形態のものであった。【０００３】  そして、注出筒内下部のプルトップは、注出筒内の薄肉スリットで囲まれた壁面に接合され、該プルトップを引き起こすことによって注出口が開封され、いたずら防止に供している。【０００４】  また、ヒンジキャップは容器首部に装着させる中栓とその上に被蓋するキャップとがヒンジを介して一体成形される構造からなっており、成形後、薄肉スリットのピンホール検知後に中栓にキャップを被着させている。【０００５】  また、容器注口部の口径が狭い場合は、プルトップが指に掛かり難く、使用する際は、細い引掛かり易い道具を利用して切り起している。
【先行技術文献】
【特許文献】
【０００６】
【特許文献１】  特開  ２００７−０３０９４５
【特許文献２】  特開  ２０００−１４２７６２
【発明の概要】
【発明が解決しようとする課題】
【０００７】  従来のヒンジキャップにおいて、流量調整がされるのは、中栓の注出筒内下部にプルトップが備えられ、該プルトップの切り起して開けられる仕切り壁面に形成される注出口であって、該注出口で酢、醤油等の液体調味料が狭められた注出をし、注出容器が起されると、中栓の上部分に設けられた注出筒の先端の液戻し促進部分で液垂れしないように液切れさせて液戻しされる。しかし、液戻しした酢、醤油等の液体調味料は、仕切り壁面に形成された注出口に引っ掛かり、溜ることになる。【０００８】  また、プルトップによる切り起しで開けられる薄肉スリットで囲まれた壁面の注出口は構造を複雑にし、注出口を開口する為に、プルトップを切り起し除く際、酢、醤油等の液体調味料が撥ねて、好ましくなかった。【０００９】  また、プルトップを備えた中栓とキャップとをヒンジ部を介して一体成形したヒンジキャップの金型構造が複雑で、尚且つ高価で、成形後にプルトップを切り起す際の薄肉スリットのピンホール検知器、及びキャップを中栓と嵌合させるための、組立機等の設備投資が必要となる。【００１０】  また、注出口を容器に設け、該注出口の口径が狭い場合は、プルトップを備えても、該プルトップが指に掛からない為、使用できず、別途、流量調整出来る注出口を設けた中栓を容器に装着する。よって、部品数も増え装着の手間もかかり、コストも上がる。
【課題を解決するための手段】
【００１１】  本発明の流量調整ができるいたずら防止付きヒンジキャップは、キャップ胴部に切り起すつまみが立設され、該つまみと隣接のヒンジ部となる一部を残して２本の横薄肉スリットが刻設され、該横薄肉スリットの刻設の下方部には、容器の注出筒に形成された突起部に係合するアンダーカットを内側周に形成すると共に、キャップ頂部の裏面には、インナーリングが形成され、該インナーリングの形状がインナーリングのヒンジ部のある位置を短くし、インナーリングのヒンジ部のある反対側位置を長くし、該インナーリングの長くした部分には、切込みを設けて注出口が形成され、該切込み幅と、容器注出筒頭部との間で流量調整がされるものである。【００１２】  本発明の流量調整ができるいたずら防止付きヒンジキャップは、キャップ頂部の裏面には、インナーリングが形成され、該インナーリングの形状が、インナーリングのヒンジ部のある位置を短くし、ヒンジ部のある反対側位置を長くし、該インナーリングの長くした部分が容器の注出筒内壁と接合摺動され、この接合摺動の摩擦でキャップ開閉が制御され、流量調整がされるものである。【００１３】  本発明の流量調整ができるいたずら防止付きヒンジキャップは、キャップ胴部に切り起すつまみが立設され、該つまみと隣接のヒンジ部となる一部を残して２本の横薄肉スリットが刻設され、該横薄肉スリットの刻設の下方部には、容器の注出筒に形成された突起部と係合するアンダーカットを内周面に形成され、下方部のヒンジ部位置には、縦薄肉スリットを刻設し、該縦薄肉スリットによりアンダーカットを破断することによって容器の注出筒との係合が外されて、容器と分別されるものである。
【発明の効果】
【００１４】  本発明の流量調整ができるいたずら防止付きヒンジキャップは、注出口が、プルトップを切り起して開けられるものでないので、構造をシンプルにして成形を容易にし、その上、プルトップによる開口がされるのでないので、酢、醤油等の液体調味料を撥ねさせることがない。
そして、本発明の流量調整ができるいたずら防止付きヒンジキャップは、キャップ胴部に横薄肉スリットが刻設され、容器の注出筒に形成された突起部に係合するアンダーカットを内周面に形成した、横薄肉スリット刻設のキャップ胴部が一体成形された構造の為、従来のキャップと中栓との構成にする手間を省き、組立機、ピンホール検査を必要としない。また、本発明の流量調整ができるいたずら防止付きヒンジキャップはアンダーカットを設け、容器の注出筒には突起部を設けているので打栓という極めて容易な作業で装着させることができる。更に、キャップ胴部に２本の横薄肉スリットとつまみが設けられ、つまみを単に引き起し、横薄肉スリットを引き取ることで、キャップ胴部にヒンジ部を形成することができる。【００１５】  キャップ頂部の裏面には、インナーリングが形成され、該インナーリングの形状が、インナーリングのヒンジ部のある位置を短くし、ヒンジ部のある反対側位置を長くし、該インナーリングの長くした部分には、切込みを設け、該切込み幅と容器注出筒頭部との間で流量調整がされるものである。
よって、酢、醤油等の流量調整は、上蓋裏面のインナーリングのスリット溝の幅で流量が制限されることになり、プルトップの複雑な薄肉スリット形状を必要としない。【００１６】  キャップ胴部が横薄肉スリットによって破断されることになって、ヒンジ部を形成するキャップとなり、いたずら防止となる。キャップのインナーリングのヒンジ部のある反対側を長くし、この長くした部分に切込みが設けられ、内容物を注出の際には、該切込みは注出筒より上方に位置し、且つ、キャップのインナーリング先端下部が、注出筒平面より出ないように制限する。該インナーリングは、キャップ裏面全周に設けられることによって、インナーリング先端下部が容器の注出筒内壁と接合摺動され封じられる。容器を傾けた際、キャップのインナーリングの長くした部分に設けた切込溝以外に内容物を注出することがない。【００１７】    キャップ胴部には、２本の横薄肉スリットが刻設され、該横薄肉スリットの刻設の下方部には、容器の注出筒に形成された突起部との係合をするアンダーカットが形成され、該アンダーカットを破断する縦薄肉スリットが下方部に刻設されることによって、該下方部が破断されるときには、アンダーカットも破断され、容器の注出筒との係合が外されて、容器との分別を容易に出来、リサイクルに貢献できる。
【図面の簡単な説明】
【００１８】
【図１】  流量調整ができるいたずら防止付きヒンジキャップを容器の注出筒に装着した、縦断面図である。
【図２】  流量調整ができるいたずら防止付きヒンジキャップを容器に装着した、使用時の状態を示す縦断面図である。
【図３】  流量調整ができるいたずら防止付きヒンジキャップを容器に装着した、ヒンジ部反対側からの、縦断面図である。
【図４】  流量調整ができるいたずら防止付きヒンジキャップの斜視図である。
【発明を実施するための形態】
【００１９】  流量調整ができるいたずら防止付きヒンジキャップは、図１、図２、図３、図４に示すが如く、キャップ胴部４４に切り起すつまみ４３が立設され、該つまみと隣接のヒンジ部４６となる一部を残して２本の上、下横薄肉スリット４１，４２が刻設され、該横薄肉スリットの刻設の下方部４５には、容器１の注出筒２に形成された上下部突起部１１ａ，１１ｂに係合する上下部アンダーカット４７，４７ａを内周面に形成すると共に、キャップ頂部３の裏面には、インナーリング３０が形成され、該インナーリングの形状が、インナーリングのヒンジ部４６のある位置の部分３１を短くし、ヒンジ部４６のある反対側位置の部分した３２を長くし、該長くした部分には、切込み３３を設けて注出口１２が形成され、該切込み幅と容器１の注出筒２頭部との間で流量調整がされる。
【００２０】  流量調整ができるいたずら防止付きヒンジキャップは、キャップ頂部３の裏面には、インナーリング３０が形成され、該インナーリングの形状が、ヒンジ部４６のある位置の部分３１を短くし、ヒンジ部４６のある反対側位置部分３２を長くし、長くした部分３２が容器１の注出筒２内壁と接合摺動され、該接合摺動の摩擦でキャップ開閉が制御されると共に、切込み３３幅で流量調整ができる。
【００２１】  流量調整ができるいたずら防止付きヒンジキャップは、キャップ胴部４４に切り起すつまみ４３立設され、該つまみと隣接のヒンジ部４６となる一部を残して２本の上横薄肉スリット４１と下横薄肉スリット４２が刻設され、ヒンジ部４６で接続されるキャップ胴部の上方部４５ａには上部アンダーカット４７を形成し、キャップ胴部の下方部４５には下部アンダーカット４７ａが形成される。キャップ胴部４４の下方部４５のヒンジ部４６位置には、縦薄肉スリット６を刻設し、該縦薄肉スリットにより下部アンダーカット４７ａを破断することによって容器の注出筒１１との係合が、外されて容器１と分別できる。
【００２２】  流量調整ができるいたずら防止付きヒンジキャップは、つまみ４３により、上横薄肉スリット４１、下横薄肉スリット４２が切り起されると、キャップ胴部４４がヒンジ部４６で接続された上方部４５ａと下方部４５となる。
容器１の注出筒２の下方突起部１１ｂに下部アンダーカット４７ａで係合されたキャップ胴部４４の下方部４５とヒンジ部４６をもって接続されたキャップ胴部４４の上方部４５ａは、キャップ頂部３とでキャップ４を構成し、該キャップの上方部４５ａには、注出筒２の上部突起部１１ａと係合する上部アンダーカット４７を形成し、キャップ４の開口の為に爪掛けする爪掛け突起５が形成されている。
尚、つまみ４３による上、下横薄肉スリット４１，４２の切り起しがされているか、どうかで、いたずら防止となる。インナーリングの長い部分３２に切込まれた切込み３３による注出口１２が注出筒２の上方より出ない位置に調整することによって、キャップ４の開閉を制御する。
【００２３】  キャップ４が、爪掛け突起５に爪掛けして開口されると、キャップ頂部３に形成された、インナーリング３０のそのインナーリングの長い部分３２に形成された切込み３３による注出口１２を開口させることになる。
キャップ４のヒンジ部４６による開口で、インナーリングの短い部分３１の接続部が注出筒２の頭部をなぞると共に、インナーリングの長い部分３２の接続部が注出筒２内壁と接合摺動され、キャップ４の開閉を制御する。
【００２４】  流量調整ができるいたずら防止付きヒンジキャップは、容器１の注出筒２の頭部にくちばし２１を設けることにより液切れが容易にでき、液だれの防止となる。
【符号の説明】
【００２５】１            容器
１１ａ        上部突起部
１１ｂ        下部突起部
１２          注出口
２            注出筒
２１          くちばし
３            キャップ頂部
３０          インナーリング
３１          インナーリングの短い部分
３２          インナーリングの長い部分
３３          切込み
４            キャップ
４１          上横薄肉スリット
４２          下横薄肉スリット
４３          つまみ
４４          キャップ胴部
４５          下方部
４５ａ        上方部
４６          ヒンジ部
４７          上部アンダーカット
４７ａ        下部アンダーカット
５            爪掛け突起
６            縦薄肉スリット
【図１】
2013212876.tif 000003
【図２】
2013212876.tif 000004
【図３】
2013212876.tif 000005
【図４】
2013212876.tif 000006